(57)【要約】【課題】本発明は、ユーザが必要とするネットワーク利用情報のみを対象に、ネットワーク利用情報を取得して、ユーザに提示できる、使い勝手のよいクライアント装置が実現可能な情報処理装置および通信環境設定方法を提供することを課題とする。【解決手段】通信モジュール（Ｃｌｉｅｎｔ　Ｓｅｒｖｉｃｅ）４１は、アクセスポイント３０に設けられた通信モジュール（Ｓｅｒｖｅｒ　Ｓｅｒｖｉｃｅ）３１より利用リソース情報を取得しレジストリィ（Ｒｅｇｉｓｔｒｙ）４３に保存する。クライアントモジュール（Ｃｌｉｅｎｔ　Ｍｏｄｕｌｅ）４２は、ＧＵＩ画面（利用リソース設定画面、条件追加設定画面）の表示制御並びにその設定画面上の設定内容をシステムに設定する処理を行う。【選択図】　　図２
2004139161.tif 000002
【特許請求の範囲】
【請求項１】
中継装置を経由してネットワーク接続を行う通信機能をもつ情報処理装置に於いて、
ネットワーク上で利用するリソースを指定するインタフェース手段と、
前記インタフェース手段で指定された内容に従いネットワーク上のリソースを利用するための情報を取得する取得手段と、
前記取得手段で取得した情報をシステムに設定する設定手段と
を具備したことを特徴とする情報処理装置。
【請求項２】
前記取得手段は、使用するネットワーク環境に変化が生じたことを検知する監視手段を有し、前記監視手段がネットワーク環境に変化が生じたことを検知した際に、当該検知したネットワーク環境で利用可能なリソースのうち、前記インタフェース手段で指定されたリソースについて、当該リソースを利用するための情報を取得する請求項１記載の情報処理装置。
【請求項３】
前記取得手段は、前記中継装置から発信される識別信号を受信した際に、ネットワーク接続に必要な情報と、前記インタフェース手段で指定されたリソースについて、当該リソースを利用するための情報とを取得する請求項１記載の情報処理装置。
【請求項４】
前記インタフェース手段は、通信可能な中継装置を所定の周期で探索し、前記インタフェース手段で指定されたリソースについて、当該リソースを利用するための情報を取得する動作モードを指定する指定手段を具備する請求項１記載の情報処理装置。
【請求項５】
前記取得手段は、前記指定手段により前記動作モードが指定されているとき、前記所定の周期で中継装置を探索し、探索した中継装置より、前記インタフェース手段で指定されたリソースについて、当該リソースを利用するための情報を取得する請求項４記載の情報処理装置。
【請求項６】
前記インタフェース手段は、ネットワーク上で利用可能な複数種のリソースから、当該ネットワーク上で利用するリソースを選択するセッティング画面を表示し、
前記取得手段は、前記セッティング画面で選択されたリソースについて、当該リソースを利用するための情報を取得する請求項１記載の情報処理装置。
【請求項７】
前記インタフェース手段は、ネットワーク上で利用可能な複数種のリソースから、当該ネットワーク上で利用するリソースを選択するセッティング画面を表示する手段と、前記セッティング画面で選択されたリソースに対して、除外するサーバを指定する追加機能設定画面を表示する手段とを具備し、前記取得手段は、前記セッティング画面のセット内容と前記追加機能設定画面の指定内容とに従ってリソースを利用するための情報を取得する請求項１記載の情報処理装置。
【請求項８】
前記インタフェース手段は、ネットワーク上で利用可能な複数種のリソースから、当該ネットワーク上で利用するリソースを選択するセッティング画面を表示する手段と、前記セッティング画面で選択されたリソースに対して、ＩＰアドレスの設定をＤＨＣＰに従わせるか否かを選択する追加機能設定画面を表示する手段とを具備し、
前記取得手段は、前記セッティング画面のセット内容と前記追加機能設定画面の選択内容とに従ってリソースを利用するための情報を取得する請求項１記載の情報処理装置。
【請求項９】
中継装置を経由してネットワーク接続を行う通信機能をもつコンピュータの通信環境設定方法であって、
前記コンピュータを前記ネットワークに接続する際に、ユーザが設定したネットワーク利用情報に従い、ユーザが所望するネットワーク利用情報を選択的に取得して、その取得したネットワーク利用情報をシステムに反映することを特徴とする通信環境設定方法。
【発明の詳細な説明】
【０００１】
【発明の属する技術分野】
本発明は、中継装置を経由してネットワーク接続を行う通信機能をもつ情報処理装置、および情報処理装置の通信環境設定方法に関する。
【０００２】
【従来の技術】
ネットワーククライアントとしてパーソナルコンピュータを利用する際、ＤＨＣＰ（　ｄｙｎａｍｉｃ　ｈｏｓｔ　ｃｏｎｆｉｇｕｒａｔｉｏｎ　ｐｒｏｔｏｃｏｌ）を介してＩＰアドレス、ＤＮＳ（ｄｏｍａｉｎ　ｎａｍｅ　ｓｙｓｔｅｍ）サーバ等の現在接続しているネットワーク固有の情報を取得し、その後、インターネットの設定、ネットワークプリンタの設定等を行うことで、現在接続しているネットワーク上にてインターネットへの接続、ネットワークプリンタの使用等が可能となる（例えば、特許文献１参照）。
【０００３】
しかしながら、従来のこの種システムに於いては、携行の容易なパーソナルコンピュータを、ネットワークを利用できる中継装置（アクセスポイント）に接続可能な任意の場所でクライアントコンピュータとして使用可能にしたとき、ネットワーク接続の度に、利用するネットワーク並びに利用するリソースに適した設定を行わなければならないことから、その設定作業にかかる操作負担が大きいという問題があった。また、操作性の面でも、多種多様なリスト内容等から必要な設定を行わなければならない等、操作が煩雑で設定が迅速かつ容易に行えないという問題があった。
【０００４】
【特許文献１】
特開平１１−６８７６５号公報
【０００５】
【発明が解決しようとする課題】
上述したように従来では、ネットワークを利用できる中継装置（アクセスポイント）に接続可能な任意の場所でコンピュータを使用可能にしたとき、ネットワーク接続の度に、利用するネットワーク並びにリソースに適した設定を行わなければならないことから、その設定作業にかかる操作負担が大きいという問題があった。更に操作が煩雑で迅速かつ容易に設定できないという問題があった。また、操作性の面でも操作が煩雑で迅速かつ容易に設定できないという問題があった。
【０００６】
本発明は上記実情に鑑みなされたもので、ネットワークを利用する際のユーザにかかる設定作業の操作負担を軽減できる情報処理装置および通信環境設定方法を提供することを目的とする。
【０００７】
また、本発明は、ユーザが必要とするネットワーク利用情報のみを対象に、ネットワーク利用情報を取得して、ユーザに提示できる、使い勝手のよいクライアント装置が実現可能な情報処理装置および通信環境設定方法を提供することを目的とする。
【０００８】
【課題を解決するための手段】
本発明は、ネットワークに接続する際に、ユーザが設定したネットワーク利用情報に従い、ユーザが所望するネットワーク利用情報を選択的に取得して、その取得したネットワーク利用情報をシステムに反映する機能をもつことで、ネットワークを利用する際のユーザにかかる設定作業の操作負担を軽減したことを特徴とする。
【０００９】
即ち、本発明は、中継装置を経由してネットワーク接続を行う通信機能をもつ情報処理装置に於いて、ネットワーク上で利用するリソースを指定するグラフィックユーザインタフェースと、前記グラフィックユーザインタフェースで指定された内容に従いネットワーク上のリソースを利用するための設定情報を取得する第１の手段と、前記取得した設定情報をシステムに反映する第２の手段とを具備したことを特徴とする。
【００１０】
また、本発明は、前記情報処理装置に於いて、前記第１の手段は、使用するネットワーク環境に変化が生じたことを検知する監視手段を有し、前記監視手段がネットワーク環境に変化が生じたことを検知した際に、当該検知したネットワーク環境で利用可能なリソースから、前記グラフィックユーザインタフェースで指定されたリソースに従う設定情報を取得することを特徴とする。
【００１１】
また、本発明は、前記情報処理装置に於いて、前記グラフィックユーザインタフェースは、ネットワーク上で利用可能な複数種のリソースから、ネットワーク上で利用するリソースを選択するためのセッティング画面の表示手段と、前記セッティング画面でセットされたリソースに対して、除外するサーバを指定する操作入力部、ＩＰアドレスの設定をＤＨＣＰに従わせるか否かを選択する操作入力部のいずれか若しくはすべてを備えた追加機能画面の表示手段とを具備し、前記第１の手段は、前記セッティング画面のセット内容と前記追加機能画面の操作入力内容に従う設定情報を取得することを特徴とする。
【００１２】
また、本発明は、中継装置を経由してネットワーク接続を行う通信機能をもつコンピュータの通信環境設定方法であって、前記コンピュータを前記ネットワークに接続する際に、ユーザが設定したネットワーク利用情報に従い、ユーザが所望するネットワーク利用情報を選択的に取得して、その取得したネットワーク利用情報をシステムに反映することを特徴とする。
【００１３】
また、本発明は、中継装置を経由してネットワーク接続を行う通信機能をもつ情報処理装置の通信環境設定方法であって、ネットワーク上で利用するリソースを指定する画面をユーザに提示するステップと、前記画面上で指定された内容に従いネットワーク上のリソースを利用するための設定情報を取得するステップと、前記取得した設定情報をシステムに反映するステップとを具備したことを特徴とする。
【００１４】
上記したような本発明の構成並びに機能を具備することで、ユーザが必要とするネットワーク利用情報のみを対象に、ネットワーク利用情報を取得して、ユーザに提示できることから、使い勝手のよいクライアント装置を提供できる。
【００１５】
【発明の実施の形態】
以下、図面を参照して本発明の実施形態を説明する。
【００１６】
図１は本発明の実施形態に於ける情報処理装置を用いたネットワークシステムの構成を示すブロック図である。図２は上記図１に示すアクセスポイント３０と端末４０と間の本発明に係る処理の手順およびその処理に係る構成要素を示すブロック図である。この実施形態では、少なくとも５０ｍ以上離れたエリアＡとエリアＢとの間に於けるネットワークシステムを例に説明する。
【００１７】
図１に示すように、上記エリアＡとエリアＢはＩＰ網１０を介して通信ネットワークを構築している。エリアＡと、エリアＢには、それぞれ、プリンタ、ネットワーク、ファイル等のサーバ（Ｓｅｒｖｅｒ）２０、およびアクセスポイント（　Ａｃｃｅｓｓ　Ｐｏｉｎｔ）３０が設けられる。
【００１８】
クライアントとなる端末（ＳＴＡ）４０は、例えば携帯型のパーソナルコンピュータを用いて実現される。この端末４０は、それぞれ無線ＬＡＮにより、上記アクセスポイント３０に接続される。
【００１９】
上記アクセスポイント３０には、図２に示すように、通信モジュール（Ｓｅｒｖｅｒ
Ｓｅｒｖｉｃｅ）３１、レジストリィ（Ｒｅｇｉｓｔｒｙ）３２等が設けられる。
【００２０】
上記アクセスポイント３０に設けられた通信モジュール（Ｓｅｒｖｅｒ　Ｓｅｒｖｉｃｅ）３１は、端末４０に設けられた通信モジュール（Ｃｌｉｅｎｔ　Ｓｅｒｖｉｃｅ）４１との間で無線ＬＡＮ接続により所定の手順で情報交換を行う。レジストリィ（Ｒｅｇｉｓｔｒｙ）３２は所属するネットワーク上のリソース情報等を保持する。
【００２１】
クライアントとなる端末４０には、図２に示すように、通信モジュール（Ｃｌｉｅｎｔ　Ｓｅｒｖｉｃｅ）４１、クライアントモジュール（Ｃｌｉｅｎｔ　Ｍｏｄｕｌｅ）４２、レジストリィ（Ｒｅｇｉｓｔｒｙ）４３、システム設定モジュール（Ｓｙｓｔｅｍ　Ｓｅｔｔｉｎｇ）４４等が設けられる。
【００２２】
通信モジュール（Ｃｌｉｅｎｔ　Ｓｅｒｖｉｃｅ）４１は、アクセスポイント３０に設けられた通信モジュール（Ｓｅｒｖｅｒ　Ｓｅｒｖｉｃｅ）３１との間で無線ＬＡＮ接続により所定の手順で情報交換を行う。また、この情報交換で、当該アクセスポイント３０が所属するネットワーク上に於けるリソースを利用するための情報（ネットワーク利用情報）を取得する。この際、通信モジュール（Ｃｌｉｅｎｔ　Ｓｅｒｖｉｃｅ）４１は、後述する図３に示す利用リソース設定用ＧＵＩ設定画面３００上のセッティング欄３０３でチェックボックスにより選択され設定された利用リソースに対してのみ、その各リソースのネットワーク利用情報（以下リソース情報と称す）を取得し、その情報をレジストリィ（Ｒｅｇｉｓｔｒｙ）４３に保存する。
【００２３】
クライアントモジュール（Ｃｌｉｅｎｔ　Ｍｏｄｕｌｅ）４２は、クライアントとしての通信の処理およびＧＵＩの制御を司るもので、この実施形態では、後述する図３および図４に示す各ＧＵＩ画面（利用リソース設定画面３００、条件追加設定画面４００）の表示制御並びにその設定画面上の設定内容をシステムに反映（設定）する処理を行う。
【００２４】
図３は図示しない特定の選択操作（リソース情報の取得を指定する特定のボタンまたはアイコン等の選択操作）により常時表示可能な利用リソース設定画面３００の一構成例を示したもので、ここでは「更新」ボタン３０１、「追加機能」ボタン３０２、利用リソースのセッティング欄３０３、「設定」ボタン３０４、インフォメーション欄３１０、ステータス欄３２０等が設けられる。
【００２５】
上記「更新」ボタン３０１は、利用するリソース情報をユーザの操作により取得する、手動モードの際に操作される。「追加機能」ボタン３０２は、利用リソース情報の取得条件を設定する際に操作されるもので、このボタン操作により、図４に示す条件追加設定画面４００が表示される。この画面上で、利用リソース情報を取得する対象から外したいサーバ（上記セッティング欄３０３で選択されたリソースに対して、取得対象から除外するサーバ）、ＩＰアドレスの設定をＤＨＣＰに従わせるか否か等を指定することができる。
【００２６】
図４は上記図３に示す画面上で「追加機能」ボタン３０２が操作された際に表示される条件追加設定画面４００の一構成例を示したもので、ここではアクションタイプ・タイマ欄４０１、除外サーバ指定欄４０２、ＩＰアドレスオプション欄４０３、「ＯＫ」ボタン４０４等が設けられる。
【００２７】
上記アクションタイプ・タイマ欄４０１は、上記利用リソース情報の取得を「自動」で行うか「手動」で行うかを選択する際に操作される。ここではラジオボタンにより「自動」または「手動」を選択する。
【００２８】
除外サーバ指定欄４０２は、利用リソース情報を取得する対象から外したいサーバ（上記セッティング欄３０３で選択されたリソースに対して、取得対象から除外するサーバ）を指定する際に用いられるもので、ここでは、サーバのプロファイル名を入力することにより、そのプロファイル名をもつサーバが、利用リソース情報の取得対象サーバから除外される。
【００２９】
ＩＰアドレスオプション欄４０３は、ＩＰアドレスの設定をＤＨＣＰに従わせるか否かを選択する際に操作される。即ち、ＴＣＰ／ＩＰ設定をＤＨＣＰのＩＰアドレスに自動的に変更する（デフォルト）か、あるいは固定ＩＰアドレスとするかを選択する際に操作されるもので、ここでは、チェックボックスにチェックマークを付けない際（デフォルト）は、ＴＣＰ／ＩＰの設定が自動的にＤＨＣＰのＩＰアドレスに変更されるが、チェックボックスにチェックマークを付けるとＩＰアドレスが固定（ＩＰアドレスが固定された機器に対して有効）となる。
【００３０】
ここで上記各図を参照して本発明の実施形態に於ける動作を説明する。
【００３１】
図１に示すように、エリアＡと、エリアＢには、それぞれ、プリンタ、ネットワーク、ファイル等のサーバ（Ｓｅｒｖｅｒ）２０と、アクセスポイント（　Ａｃｃｅｓｓ　Ｐｏｉｎｔ）３０が設けられる。エリアＢに於いてクライアントとなる端末４０をエリアＢのアクセスポイント３０から切り離し（無線ＬＡＮ接続を断ち）、その端末４０をエリアＡに移動して、エリアＡに設けられたプリンタ、ネットワーク、ファイル等のサーバ（Ｓｅｒｖｅｒ）２０にアクセスする際、そのプリンタ、ネットワーク、ファイル等を利用するには、その利用リソース情報をシステムに設定することにより、はじめてそのリソースを利用できる。
【００３２】
この際の利用リソース情報の取得並びにシステムへの設定は、図３に示す利用リソース設定画面３００、および図４に示す条件追加設定画面４００の設定内容に従って行われる。
【００３３】
先ず基本的な動作について説明する。
【００３４】
図４に示す条件追加設定画面４００上のアクションタイプ・タイマ欄４０１で、「オート」が選択された状態にあるときは、そのアクションタイプ・タイマ欄４０１のタイマ設定に従う周期で、図２に示す手順（１）〜（４）の処理が繰り返し実行される。また、アクションタイプ・タイマ欄４０１で、「マニュアル」が選択された状態にあるときは、図３に示す利用リソース設定画面３００に設けられた「更新」ボタン３０１を操作する都度、図２に示す手順（１）〜（４）の処理が実行される。
【００３５】
ここで上記手順（１）は、端末４０の通信モジュール（Ｃｌｉｅｎｔ　Ｓｅｒｖｉｃｅ）４１がアクセスポイント３０の通信モジュール（Ｓｅｒｖｅｒ　Ｓｅｒｖｉｃｅ）３１とデータ授受を行い、アクセスポイント３０から利用リソース情報を取得する処理ステップ、（２）は、通信モジュール（Ｓｅｒｖｅｒ　Ｓｅｒｖｉｃｅ）３１が取得した利用リソース情報をレジストリィ（Ｒｅｇｉｓｔｒｙ）４３に保存する処理ステップ、（３）および（４）は、クライアントモジュール（Ｃｌｉｅｎｔ　Ｍｏｄｕｌｅ）４２がレジストリィ（Ｒｅｇｉｓｔｒｙ）４３より利用リソース情報を読み込んで、システムに反映（システム設定モジュール（Ｓｙｓｔｅｍ　Ｓｅｔｔｉｎｇ）４４に設定）する処理ステップである。
【００３６】
この手順（１）〜（４）の処理が周期的に繰り返し実行され（オートモード）、または手動操作で実行される（マニュアルモード）。
【００３７】
この際、ユーザは、これから利用するリソースを当然ながら認知している。そこで、本発明に於いては、利用するリソースの取捨選択を端末４０側でユーザが任意に行うことのできる機能を提供している。利用するリソースを予め特定しておくことで、そのリソースを利用するためのリソース情報を必要最小限にとどめて、設定作業並びに処理を簡素化することができる。
【００３８】
ユーザは、図３に示す利用リソース設定画面３００上の利用リソースのセッティング欄３０３に提示された利用可能な各種リソースのうち、利用する若しくはこれから利用したいリソースを選択する。ここではチェックボックスにチェックマークを付すことで、利用する任意のリソースを選択し、その後、「設定」ボタン３０４を操作する。この設定内容は、クライアントモジュール（Ｃｌｉｅｎｔ　Ｍｏｄｕｌｅ）４２によりレジストリィ（Ｒｅｇｉｓｔｒｙ）４３上で管理される。
【００３９】
更に、利用リソース情報の取得に条件を加えたいときは、上記図３に示す利用リソース設定画面３００上の「追加機能」ボタン３０２を操作する。この「追加機能」ボタン３０２を操作することにより、図４に示すような条件追加設定画面４００が表示される。この際の各ＧＵＩ設定画面の表示形態は、カスケード表示、タイル表示等のいずれであってもよい。
【００４０】
この条件追加設定画面４００上で、利用リソース情報の取得について更に条件を追加することができる。
【００４１】
上記条件追加設定画面４００上のアクションタイプ・タイマ欄４０１で、上記利用リソース情報の取得を「自動（オート）」で行うか「手動（マニュアル）」で行うかをラジオボタンにより選択することができる。この際、「自動（オート）」を選択した際は、更にその情報取得の周期をタイマ設定できる。例えばタイマ間隔を１０秒に設定すると、通信モジュール（Ｃｌｉｅｎｔ　Ｓｅｒｖｉｃｅ）４１がアクセスポイント３０の通信モジュール（Ｓｅｒｖｅｒ　Ｓｅｒｖｉｃｅ）３１に１０秒間隔で情報授受（図２に示す手順（１）参照）を行う。
【００４２】
また、除外サーバ指定欄４０２は、利用リソース情報を取得する対象から外したいサーバ（上記セッティング欄３０３で選択されたリソースに対して、取得対象から除外するサーバ）を指定する際に用いられるもので、ここでは、除外したいサーバのプロファイル名を入力することにより、そのプロファイル名をもつサーバが、利用リソース情報の取得対象サーバから除外される。
【００４３】
また、ＩＰアドレスオプション欄４０３は、ＩＰアドレスの設定をＤＨＣＰに従わせるか否かを選択する際に操作されるもので、ここでは、チェックボックスにチェックマークを付けない際（デフォルト）は、ＴＣＰ／ＩＰの設定が自動的にＤＨＣＰのＩＰアドレスに変更される。また、チェックボックスにチェックマークを付けるとＩＰアドレスが固定となる。
【００４４】
これらの各設定内容は、すべてクライアントモジュール（Ｃｌｉｅｎｔ　Ｍｏｄｕｌｅ）４２上で管理され、その設定内容に従って利用リソース情報の取得処理並びにシステムへの設定が実行される。この際の処理には二通りの方法がある。その一つは、クライアントモジュール（Ｃｌｉｅｎｔ　Ｍｏｄｕｌｅ）４２の制御の下に、通信モジュール（Ｃｌｉｅｎｔ　Ｓｅｒｖｉｃｅ）４１が、上記利用リソース設定画面３００および条件追加設定画面４００の設定内容に従ってアクセスポイント３０の通信モジュール（Ｓｅｒｖｅｒ　Ｓｅｒｖｉｃｅ）３１より利用リソース情報を取得する方法であり、他の一つは、通信モジュール（Ｃｌｉｅｎｔ　Ｓｅｒｖｉｃｅ）４１が、上記利用リソース設定画面３００および条件追加設定画面４００の設定内容に拘わらず、アクセスポイント３０の通信モジュール（Ｓｅｒｖｅｒ　Ｓｅｒｖｉｃｅ）３１から、利用可能なすべてのリソース情報を取得し、クライアントモジュール（Ｃｌｉｅｎｔ　Ｍｏｄｕｌｅ）４２が、通信モジュール（Ｃｌｉｅｎｔ　Ｓｅｒｖｉｃｅ）４１で取得したリソース情報から上記利用リソース設定画面３００および条件追加設定画面４００の設定内容に従って情報を取捨する方法である。このいずれの方法にしても、ユーザが扱うことのできるリソース情報は上記利用リソース設定画面３００および条件追加設定画面４００の設定内容に限られる。例えば、利用リソース設定画面３００上のインフォメーション欄３１０には、取得内容が表示されるが、その取得情報は上記利用リソース設定画面３００および条件追加設定画面４００の設定内容に限られる。
【００４５】
上記したような本発明の構成並びに機能を具備することで、ユーザが必要とするネットワーク利用情報のみを対象に、ネットワーク利用情報を取得して、ユーザに提示できることから、使い勝手のよいクライアント装置を提供できる。
【００４６】
【発明の効果】
以上詳記したように本発明によれば、ネットワークを利用する際のユーザにかかる設定作業の操作負担を軽減できる。
【図面の簡単な説明】
【図１】本発明の実施形態に於ける情報処理装置を用いたネットワークシステムの構成を示すブロック図。
【図２】上記図１に示すアクセスポイントと端末と間の本発明に係る処理の手順およびその処理に係る構成要素を示すブロック図。
【図３】上記実施形態に於ける利用リソース設定画面の構成例を示す図。
【図４】上記実施形態に於ける条件追加設定画面の構成例を示す図。
【符号の説明】
１０…ＩＰ網
２０…サーバ（Ｓｅｒｖｅｒ）
３０…アクセスポイント（　Ａｃｃｅｓｓ　Ｐｏｉｎｔ）
３１…通信モジュール（Ｓｅｒｖｅｒ　Ｓｅｒｖｉｃｅ）
３２…レジストリィ（Ｒｅｇｉｓｔｒｙ）
４０…端末（ＳＴＡ）
４１…通信モジュール（Ｃｌｉｅｎｔ　Ｓｅｒｖｉｃｅ）
４２…クライアントモジュール（Ｃｌｉｅｎｔ　Ｍｏｄｕｌｅ）
４３…レジストリィ（Ｒｅｇｉｓｔｒｙ）
４４…システム設定モジュール（Ｓｙｓｔｅｍ　Ｓｅｔｔｉｎｇ）
３００…利用リソース設定画面
３０１…「更新」ボタン
３０２…「追加機能」ボタン
３０３…利用リソースのセッティング欄
３０４…「設定」ボタン
３１０…インフォメーション欄
３２０…ステータス欄
４００…条件追加設定画面
４０１…アクションタイプ・タイマ欄
４０２…除外サーバ指定欄
４０３…ＩＰアドレスオプション欄
４０４…「ＯＫ」ボタン
【図１】
2004139161.tif 000003
【図２】
2004139161.tif 000004
【図３】
2004139161.tif 000005
【図４】
2004139161.tif 000006